(57)【特許請求の範囲】
【請求項１】
エレベーターのドアのドアパネルの下端部に設けられる取付部と、
前記取付部に取り付けられ、前記ドアの開閉方向に長い敷居溝に配置され、前記敷居溝の側壁に対向する側面において上面から下方に延びる第１流路が設けられ、疎水性を高める微細構造を上面に有する摺動部と、
を備えるエレベーターのドアシュー。
【請求項２】
前記摺動部は、疎水性を高める微細構造を前記第１流路に有する
請求項１に記載のエレベーターのドアシュー。
【請求項３】
エレベーターのドアのドアパネルの下端部に設けられる取付部と、
前記取付部に取り付けられ、前記ドアの開閉方向に長い敷居溝に配置され、前記敷居溝の側壁に対向する側面において上面から下方に延びる第１流路が設けられ、疎水性を高める微細構造を前記第１流路に有する摺動部と、
を備えるエレベーターのドアシュー。
【請求項４】
前記摺動部は、前記側面において前記開閉方向に延びる横流路が設けられる
請求項１から請求項３のいずれか一項に記載のエレベーターのドアシュー。
【請求項５】
前記摺動部は、前記横流路が前記開閉方向の端部に接続し、当該端部に向けて下がるように前記横流路が傾斜している
請求項４に記載のエレベーターのドアシュー。
【請求項６】
前記摺動部は、前記横流路が前記第１流路に接続し、前記第１流路に向けて下がるように前記横流路が傾斜している
請求項４に記載のエレベーターのドアシュー。
【請求項７】
エレベーターのドアのドアパネルの下端部に設けられる取付部と、
前記取付部に取り付けられ、前記ドアの開閉方向に長い敷居溝に配置され、前記敷居溝の側壁に対向する側面において上面から下方に延びる第１流路が設けられ、前記側面において前記開閉方向に延びる横流路が設けられ、前記横流路が前記開閉方向の端部に接続し、当該端部に向けて下がるように前記横流路が傾斜している摺動部と、
を備えるエレベーターのドアシュー。
【請求項８】
エレベーターのドアのドアパネルの下端部に設けられる取付部と、
前記取付部に取り付けられ、前記ドアの開閉方向に長い敷居溝に配置され、前記敷居溝の側壁に対向する側面において上面から下方に延びる第１流路が設けられ、前記側面において前記開閉方向に延びる横流路が設けられ、前記横流路が前記第１流路に接続し、前記第１流路に向けて下がるように前記横流路が傾斜している摺動部と、
を備えるエレベーターのドアシュー。
【請求項９】
前記摺動部は、前記側面において前記第１流路が前記摺動部の上面から前記摺動部の下面までに至る
請求項１から請求項８のいずれか一項に記載のエレベーターのドアシュー。
【請求項１０】
前記摺動部は、前記側面において前記第１流路の前記開閉方向の幅が外側に向けて広がっている
請求項１から請求項９のいずれか一項に記載のエレベーターのドアシュー。
【請求項１１】
前記摺動部は、防汚コーティング層を上面に有する
請求項１から請求項１０のいずれか一項に記載のエレベーターのドアシュー。
【請求項１２】
前記摺動部は、防汚コーティング層を前記第１流路に有する
請求項１から請求項１１のいずれか一項に記載のエレベーターのドアシュー。
【請求項１３】
前記摺動部は、前記側面において上面から下方に延びる第２流路が設けられる
請求項１から請求項１２のいずれか一項に記載のエレベーターのドアシュー。
【発明の詳細な説明】
【技術分野】
【０００１】
本発明は、エレベーターのドアシューに関する。
【背景技術】
【０００２】
特許文献１は、エレベーターのドアシューの例を開示する。ドアシューは、側面に溝を有する。敷居溝の側壁に接するドアシューの側面の面積は、溝の分だけ小さくなる。このため、ドアシューと敷居溝との間の摩擦が減少する。
【先行技術文献】
【特許文献】
【０００３】
【特許文献１】日本実開昭５６−３１１６８号公報
【発明の概要】
【発明が解決しようとする課題】
【０００４】
しかしながら、特許文献１のドアシューの溝は、進行方向に延びる。ここで、エレベーターにおいて、飲料などの液体がドアの敷居に入り込むことがある。このとき、特許文献１のドアシューにおいて、液体が滞留する可能性がある。この場合に、液体の粘性抵抗などによってドアの開閉が抵抗を受ける。【０００５】
本発明は、このような課題を解決するためになされた。本発明の目的は、液体の粘性抵抗などによる抵抗を受けにくいエレベーターのドアシューを提供することである。
【課題を解決するための手段】
【０００６】
本発明に係るエレベーターのドアシューは、エレベーターのドアの下端部に設けられる取付部と、取付部に取り付けられ、ドアの開閉方向に長い敷居溝に配置され、敷居溝の側壁に対向する側面において上面から下方に延びる第１流路が設けられ、疎水性を高める微細構造を上面に有する摺動部と、を備える。
本発明に係るエレベーターのドアシューは、エレベーターのドアのドアパネルの下端部に設けられる取付部と、前記取付部に取り付けられ、前記ドアの開閉方向に長い敷居溝に配置され、前記敷居溝の側壁に対向する側面において上面から下方に延びる第１流路が設けられ、疎水性を高める微細構造を前記第１流路に有する摺動部と、を備える。
本発明に係るエレベーターのドアシューは、エレベーターのドアのドアパネルの下端部に設けられる取付部と、前記取付部に取り付けられ、前記ドアの開閉方向に長い敷居溝に配置され、前記敷居溝の側壁に対向する側面において上面から下方に延びる第１流路が設けられ、前記側面において前記開閉方向に延びる横流路が設けられ、前記横流路が前記開閉方向の端部に接続し、当該端部に向けて下がるように前記横流路が傾斜している摺動部と、を備える。
本発明に係るエレベーターのドアシューは、エレベーターのドアのドアパネルの下端部に設けられる取付部と、前記取付部に取り付けられ、前記ドアの開閉方向に長い敷居溝に配置され、前記敷居溝の側壁に対向する側面において上面から下方に延びる第１流路が設けられ、前記側面において前記開閉方向に延びる横流路が設けられ、前記横流路が前記第１流路に接続し、前記第１流路に向けて下がるように前記横流路が傾斜している摺動部と、を備える。
【発明の効果】
【０００７】
本発明に係るエレベーターのドアシューであれば、液体の粘性抵抗などによって抵抗を受けにくくなる。
【図面の簡単な説明】
【０００８】
【図１】実施の形態１に係るエレベーターのドアの背面図である。
【図２】実施の形態１に係るドアシューの図１におけるＡ−Ａ断面図である。
【図３】実施の形態１に係るドアシューの斜視図である。
【図４】実施の形態１の変形例に係るドアシューの斜視図である。
【図５】実施の形態１の変形例に係るドアシューの斜視図である。
【図６】実施の形態１の変形例に係るドアシューの斜視図である。
【図７】実施の形態１の変形例に係るドアシューの斜視図である。
【図８】実施の形態２に係るドアシューの斜視図である。
【図９】実施の形態２の変形例に係るドアシューの斜視図である。
【図１０】実施の形態２の変形例に係るドアシューの斜視図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエレベーターのドアの背面図である。
【００１１】
図１において、エレベーターのドア１が示される。エレベーターは、複数の階床を有する建築物に設けられる。建築物において、昇降路が、複数の階床にわたって設けられる。エレベーターは、昇降路の内部を鉛直方向に走行するかごによって、複数の階床の間で利用者などを輸送する装置である。かごは、かごドアを備える。かごドアは、利用者がかごに乗降しうるように開閉する機器である。かごドアは、エレベーターのドア１の例である。建築物の複数の階床の各々において、乗場が設けられる。乗場において、乗場ドアが設けられる。乗場ドアは、乗場が設けられる階床に停止しているかごに利用者が乗降しうるように、かごドアの開閉に連動して開閉する機器である。乗場ドアは、エレベーターのドア１の例である。この例において、エレベーターのドア１は、両開きのドアである。
【００１２】
以下において、次のように設定されるｘｙｚ直交座標系を用いて説明する。ｙ軸の方向は、鉛直方向である。ｘｚ平面は、水平面である。ｚ軸の方向は、ドア１の開閉方向である。
【００１３】
ドア１は、ドアハンガー２と、一対のドアパネル３と、敷居４と、を備える。ドアハンガー２は、ドア１の上部に設けられる。ドアハンガー２は、ドア１の開閉方向に延びる。一対のドアパネル３の各々は、板状の機器である。一対のドアパネル３の各々の厚さ方向は、ｘ軸の方向に向けられる。一対のドア１の各々は、ドアシュー５を備える。ドアシュー５は、ドアパネル３の下端部に設けられる。一対のドアパネル３の各々の上端部は、ドアハンガー２に掛けられる。一対のドアパネル３の荷重は、ドアハンガー２に支持されている。一対のドアパネル３の各々は、ドア１が開閉するときに、ドアハンガー２に沿って移動する。このとき、一対のドアパネル３は、互いに反対方向に移動する。敷居４は、ドア１の下部に設けられる。敷居４は、ドア１の開閉方向に延びる。敷居４は、敷居溝６を有する。敷居溝６は、ドア１の開閉方向に長い溝である。敷居溝６は、上方から挿し込まれているドアシュー５をドア１が開閉するときに案内する溝である。
【００１４】
図２は、実施の形態１に係るドアシューの図１におけるＡ−Ａ断面図である。
【００１５】
敷居４は、側壁７を敷居溝６に有する。側壁７は、ドア１の開閉方向に長い壁面である。敷居４は、敷居溝６の底面に図示されない穴が設けられていてもよい。敷居溝６に入り込んだ異物は、例えば底面の穴から排出される。
【００１６】
ドアシュー５は、取付部８と、摺動部９と、を備える。
【００１７】
取付部８は、ドアパネル３の下端部に設けられる部分である。取付部８は、例えばネジなどによってドアパネル３に取り付けられる板状の金具などである。
【００１８】
摺動部９は、敷居溝６に上方から挿し込まれるように配置される部分である。摺動部９は、取付部８の下端部に取り付けられる。摺動部９は、例えば樹脂によって形成される。摺動部９の下面９ａは、敷居溝６の上端より下方に配置される。摺動部９の側面９ｂは、敷居溝６の側壁７に対向する。摺動部９の上面９ｃは、敷居溝６の上端より上方または下方のいずれに配置されてもよい。
【００１９】
図３は、実施の形態１に係るドアシュー５の斜視図である。
【００２０】
摺動部９は、第１流路１０を側面９ｂに有する。第１流路１０は、摺動部９の側面９ｂにおいて摺動部９の上面９ｃから下方に延びる。この例において、第１流路１０は、摺動部９の上面９ｃから摺動部９の下面９ａまでに至っている。第１流路１０は、例えば上下に長い凹部である。この例において、第１流路１０は、上下に長い溝である。この例において、摺動部９の水平断面における第１流路１０の形状は、矩形状である。ここで、矩形の各辺は、第１流路１０の底面１０ａまたは側面１０ｂに対応する。
【００２１】
摺動部９は、防汚コーティング層１１を上面９ｃに有する。摺動部９は、防汚コーティング層１１を第１流路１０に有する。防汚コーティング層１１は、防汚コーティングによって形成される層である。防汚コーティングは、表面の疎水性を高めるコーティングである。ここで、表面の疎水性は、例えば水の接触角を指標としてもよい。防汚コーティングは、例えばフッ素樹脂によるコーティングであってもよい。
【００２２】
続いて、実施の形態１に係るドアシュー５の動作を説明する。
【００２３】
ドア１が開閉するときに、ドアシュー５は、敷居溝６に案内される。これにより、ドア１が開閉するときのドアパネル３の傾きが抑えられる。このとき、ドアシュー５の摺動部９の側面９ｂは、敷居溝６の側壁７に接触しながら開閉方向に移動する。第１流路１０によって、摺動部９の側面９ｂにおいて敷居溝６の側壁７に接触する部分の面積は、摺動部９を敷居溝６の側壁７に投影した面積より小さくなる。このため、第１流路１０によって、摺動部９の側面９ｂと敷居溝６の側壁７との間の摩擦抵抗が小さくなる。これにより、ドア１の開閉においてドアシュー５にかかる抵抗が抑えられる。
【００２４】
また、エレベーターにおいて、敷居４の敷居溝６に液体が入り込むことがある。液体は、例えば乗場またはかごの内部においてこぼれた飲料などである。あるいは、液体は、利用者の傘および履物などに付着していた雨水または泥水などである。このとき、液体は、上方から敷居溝６に入り込む。ここで、敷居溝６に入り込む液体は、ドアシュー５にかかることがある。
【００２５】
ドアシュー５にかかった液体は、ドアシュー５の上面９ｃにかかる。ドアシュー５の上面９ｃの防汚コーティング層１１によって、液体は、滞留することなく流れる。このため、液体は、ドア１の開閉方向におけるドアシュー５の端部から流れ落ちる。また、液体は、上面９ｃから第１流路１０にも流れ込む。第１流路１０の防汚コーティング層１１によって、液体は、滞留することなく第１流路１０を下方に流れ落ちる。
【００２６】
このように、ドアシュー５にかかった液体の滞留が抑えられる。また、第１流路１０によってドアシュー５にかかった液体の滞留が抑えられるので、摺動部９の側面９ｂと敷居溝６の側壁７との間への液体の浸入が抑えられる。このため、ドアシュー５に滞留する液体の粘性抵抗によってドア１の開閉が抵抗を受けることが防がれる。また、ドアシュー５に滞留した液体が時間の経過によって粘着性を持った粘着物になることが防がれる。このため、ドアシュー５に付着した粘着物によってドア１の開閉が抵抗を受けることが防がれる。ここで、ドアシュー５に液体が滞留している場合に、摺動部９の側面９ｂと敷居溝６の側壁７との間に浸入する液体によってドア１の開閉に対する抵抗力が生じる場合がある。この抵抗力は、例えば２枚の平板の間の流体による抵抗力である。２枚の平板の間の抵抗力は、流体に接している平板の面積に比例し、平板の間隔に反比例することが実験的に知られている。ドアシュー５において、第１流路１０によって側壁７に接触する摺動部９の面積が小さくなるので、液体が浸入したとしてもドア１の開閉に対する抵抗力が小さくなる。また、浸入した液体が時間の経過によって粘着性を持った粘着物になった場合にも、粘着物によるドア１の開閉に対する抵抗力が小さくなる。
【００２７】
以上に説明したように、実施の形態１に係るドアシュー５は、取付部８と、摺動部９と、を備える。取付部８は、エレベーターのドアパネル３の下端部に設けられる。摺動部９は、取付部８に取り付けられる。摺動部９は、敷居溝６に配置される。敷居溝６は、ドア１の開閉方向に長い溝である。摺動部９の側面９ｂは、敷居溝６の側壁７に対向する。摺動部９の側面９ｂにおいて、第１流路１０が設けられる。第１流路１０は、摺動部９の上面９ｃから下方に延びる。
【００２８】
これにより、ドアシュー５に液体が滞留しにくくなる。このため、ドアシュー５は、液体の粘性抵抗などによって抵抗を受けにくくなる。
【００２９】
また、摺動部９の側面９ｂにおいて、第１流路１０は、摺動部９の上面９ｃから摺動部９の下面９ａまでに至っている。このため、第１流路１０を流れる液体は、摺動部９の下方に排出される。摺動部９の下方に排出された液体は、摺動部９に再びかかりにくい。このため、ドアシュー５は、液体の粘性抵抗などによる抵抗をより受けにくくなる。
【００３０】
なお、第１流路１０は、摺動部９の上面９ｃから、開閉方向における摺動部９の端部の下部などに至るように延びていてもよい。摺動部９が移動する方向の後側から第１流路１０を流れる液体が排出されるときに、排出された液体は、ドア１が開閉するときに移動している摺動部９に再びかかりにくくなる。
【００３１】
また、摺動部９は、防汚コーティング層１１を上面９ｃに有する。これにより、摺動部９の上面９ｃに液体がより滞留しにくくなる。
【００３２】
また、摺動部９は、防汚コーティング層１１を第１流路１０に有する。これにより、第１流路１０に液体がより滞留しにくくなる。また、ドア１の開閉方向における第１流路１０の幅が狭い場合においても、液体は、第１流路１０を速やかに流れ落ちるようになる。このため、液体の粘着物への変化がより効果的に防がれる。
【００３３】
なお、摺動部９は、防汚コーティング層１１を有していなくてもよい。このとき、液体の滞留は、例えば摺動部９を形成する樹脂などの材質そのものの疎水性によって防がれてもよい。また、防汚コーティング層１１は、摺動部９の上面９ｃまたは第１流路１０のいずれか一方に設けられてもよい。あるいは、防汚コーティング層１１は、摺動部９の全面に設けられてもよい。
【００３４】
この例において、摺動部９は、ｙｚ平面に平行な鉛直面に関して対称に構成される。摺動部９は、敷居溝６の側壁７に対向する両側の側面９ｂにおいて、互いに対称に第１流路１０を有する。ここで、摺動部９は、両側の側面９ｂにおいて、互いに非対称に第１流路１０を有していてもよい。また、摺動部９は、一方の側面９ｂにのみ第１流路１０を有していてもよい。例えば、ドア１がかごドアである場合に、摺動部９は、かごの内側を向く側面９ｂにのみ第１流路１０を有していてもよい。あるいは、ドア１が乗場ドアである場合に、摺動部９は、乗場の側を向く側面９ｂにのみ第１流路１０を有していてもよい。
【００３５】
また、エレベーターのドア１は、片開きのドアであってもよい。エレベーターのドア１は、ドア１が開閉するときに同じ方向に移動する複数のドアパネル３を備える２枚戸または３枚戸などのドアであってもよい。
【００３６】
続いて、図４を用いて、実施の形態１の変形例を説明する。
図４は、実施の形態１の変形例に係るドアシューの斜視図である。
【００３７】
この例において、摺動部９の水平断面における第１流路１０の形状は、台形状である。ここで、台形の上底または下底は、第１流路１０の底面１０ａに対応する。台形の斜辺は、第１流路１０の側面１０ｂに対応する。
【００３８】
摺動部９において、第１流路１０は、ドア１の開閉方向における幅が外側に向けて広がるように設けられる。この例において、第１流路１０の側面１０ｂは、第１流路１０の底面１０ａに対して鈍角をなすように形成される。これにより、表面張力などによって液体が第１流路１０に滞留することが防がれる。
【００３９】
なお、第１流路１０は、摺動部９の水平断面における形状が台形状である溝に限定されない。第１流路１０は、例えば摺動部９の水平断面における形状が円弧状などの滑らかな形状の溝であってもよい。第１流路１０の形状は、ｘｙ平面に平行な鉛直面に関して非対称な形状であってもよい。
【００４０】
続いて、図５を用いて、実施の形態１の他の変形例を説明する。
図５は、実施の形態１の変形例に係るドアシューの斜視図である。
【００４１】
摺動部９は、微細構造を上面９ｃに有する。摺動部９は、微細構造を第１流路１０に有する。微細構造は、例えば表面構造に基づくロータス効果などによって表面の疎水性を高める構造である。微細構造は、例えば表面に並ぶ微小突起１２である。微小突起１２の大きさは、例えばマイクロメートルのオーダーである。なお、図５において、微小突起１２は図示のため拡大されている。
【００４２】
このように、摺動部９は、疎水性を高める微細構造を上面９ｃに有する。これにより、摺動部９の上面９ｃに液体がより滞留しにくくなる。
【００４３】
また、摺動部９は、疎水性を高める微細構造を第１流路１０に有する。これにより、第１流路１０に液体がより滞留しにくくなる。また、ドア１の開閉方向における第１流路１０の幅が狭い場合においても、液体は第１流路１０を速やかに流れ落ちるようになる。このため、液体の粘着物への変化がより効果的に防がれる。
【００４４】
なお、微細構造は、摺動部９の上面９ｃまたは第１流路１０のいずれか一方に設けられてもよい。あるいは、微細構造は、摺動部９の全面に設けられてもよい。摺動部９が防汚コーティング層１１を有する場合に、微細構造は、防汚コーティング層１１に設けられていてもよい。
【００４５】
続いて、図６を用いて、実施の形態１の他の変形例を説明する。
図６は、実施の形態１の変形例に係るドアシューの斜視図である。
【００４６】
摺動部９の第１流路１０が設けられる側面において、さらに第２流路１３が設けられる。第２流路１３は、摺動部９の上面９ｃから下方に延びる。第２流路１３は、例えば上下に長い凹部である。この例において、第２流路１３は、上下に長い溝である。これにより、ドアシュー５にかかる液体は、第１流路１０および第２流路１３のいずれからも流れ落ちるようになる。このため、ドアシュー５において液体がより滞留しにくくなる。
【００４７】
この例において、第２流路１３は、摺動部９の上面９ｃから摺動部９の下面９ａまでに至っている。第２流路１３は、例えば第１流路１０と同様に形成される。
【００４８】
なお、摺動部９の側面９ｂにおいて、上面９ｃから下方に延びる流路が３つ以上設けられていてもよい。
【００４９】
続いて、図７を用いて、実施の形態１の他の変形例を説明する。
図７は、実施の形態１の変形例に係るドアシューの斜視図である。
【００５０】
第１流路１０のｘ方向の深さは、摺動部９の側面９ｂから取付部８にまで至る深さであってもよい。この例において、摺動部９は、第１部分１４ａおよび第２部分１４ｂを有する。第１部分１４ａおよび第２部分１４ｂは、ドア１の開閉方向において分割された摺動部９の２つの部分である。第１流路１０は、第１部分１４ａおよび第２部分１４ｂの間の隙間であってもよい。
【００５１】
実施の形態２．
実施の形態２において、実施の形態１で開示される例と相違する点について特に詳しく説明する。実施の形態２で説明しない特徴については、実施の形態１で開示される例のいずれの特徴が採用されてもよい。
【００５２】
図８は、実施の形態２に係るドアシューの斜視図である。
【００５３】
摺動部９の第１流路１０が設けられる側面９ｂにおいて、さらに２箇所の横流路１５が設けられる。横流路１５は、ドア１の開閉方向に延びる。横流路１５は、例えば水平方向に長い溝である。２箇所の横流路１５の各々は、第１流路１０に接続する。一方の横流路１５は、摺動部９のｚ軸の正の側の端部に接続する。他方の横流路１５は、摺動部９のｚ軸の負の側の端部に接続する。
【００５４】
横流路１５によって、摺動部９の側面９ｂにおいて敷居溝６の側壁７に接触する部分の面積はさらに小さくなる。このため、横流路１５によって、摺動部９の側面９ｂと敷居溝６の側壁７との間の摩擦抵抗がさらに小さくなる。これにより、ドア１の開閉においてドアシュー５にかかる抵抗がさらに抑えられる。また、液体粘着物が敷居溝６の側壁７と摺動部９の側面９ｂ間に滞留した場合にも、滞留した液体粘着物によるドア１の開閉に対する抵抗力が小さくなる。
【００５５】
続いて、図９を用いて、実施の形態２の変形例を説明する。
図９は、実施の形態２の変形例に係るドアシューの斜視図である。
【００５６】
摺動部９において、２箇所の横流路１５は、第１流路１０に接続している。２箇所の横流路１５は、第１流路１０に向けて下がるように傾斜している。これにより、液体が横流路１５に浸入した場合においても、液体は第１流路１０から速やかに排出される。
【００５７】
続いて、図１０を用いて、実施の形態２の他の変形例を説明する。
図１０は、実施の形態２の変形例に係るドアシューの斜視図である。
【００５８】
摺動部９において、一方の横流路１５は、摺動部９のｚ軸の正の側の端部に接続する。他方の横流路１５は、摺動部９のｚ軸の負の側の端部に接続する。ｚ軸の正の側の端部に接続する横流路１５は、当該端部に向けて下がるように傾斜している。ｚ軸の負の側の端部に接続する横流路１５は、当該端部に向けて下がるように傾斜している。これにより、液体が横流路１５に浸入した場合においても、液体はドア１の開閉方向における摺動部９の端部から速やかに排出される。
【産業上の利用可能性】
【００５９】
本発明に係るドアシューは、エレベーターのドアに適用できる。
【符号の説明】
【００６０】
１  ドア、  ２  ドアハンガー、  ３  ドアパネル、  ４  敷居、  ５  ドアシュー、  ６  敷居溝、  ７  側壁、  ８  取付部、  ９  摺動部、  ９ａ  下面、  ９ｂ  側面、  ９ｃ  上面、  １０  第１流路、  １０ａ  底面、  １０ｂ  側面、  １１  防汚コーティング層、  １２  微小突起、  １３  第２流路、  １４ａ  第１部分、  １４ｂ  第２部分、  １５  横流路
【要約】
液体の粘性抵抗などによる抵抗を受けにくいエレベーターのドアシューを提供する。ドアシュー（５）は、取付部（８）と、摺動部（９）と、を備える。取付部（８）は、エレベーターのドアパネル（３）の下端部に設けられる。摺動部（９）は、取付部（８）に取り付けられる。摺動部（９）は、敷居溝（６）に配置される。敷居溝（６）は、ドア（１）の開閉方向に長い溝である。摺動部（９）の側面（９ｂ）は、敷居溝（６）の側壁（７）に対向する。摺動部（９）の側面（９ｂ）において、第１流路（１０）が設けられる。第１流路（１０）は、摺動部（９）の上面（９ｃ）から下方に延びる。【図１】
0006733855.tif 000002
【図２】
0006733855.tif 000003
【図３】
0006733855.tif 000004
【図４】
0006733855.tif 000005
【図５】
0006733855.tif 000006
【図６】
0006733855.tif 000007
【図７】
0006733855.tif 000008
【図８】
0006733855.tif 000009
【図９】
0006733855.tif 000010
【図１０】
0006733855.tif 000011